(57)【要約】      （修正有）【課題】配線の電気伝導率を高め、配線を微細に形成することができるタッチパネルを提供する。【解決手段】タッチパネル100は、アクティブ領域120とアクティブ領域120の縁に備えられた接続領域130を含む透明基板110、アクティブ領域120に形成された透明電極140、接続領域130に対応するように形成して接続領域130に一面が接着された接続部160と接続部160から延長されて透明基板110の外側に突出された延長部170を含むフレキシブルプリントケーブル150、透明電極140と連結されるように接続部160の一面に形成された接続端子180及び接続端子180から延長されて延長部170に集結されるようにフレキシブルプリントケーブル150に形成された配線190を含む。【選択図】図２
2011210224.tif 000002
【特許請求の範囲】
【請求項１】
アクティブ領域と前記アクティブ領域の縁に備えられた接続領域を含む透明基板;
前記アクティブ領域に形成された透明電極;
前記接続領域に対応するように形成して前記接続領域に一面が接着された接続部と前記接続部から延長されて前記透明基板の外側に突出された延長部を含むフレキシブルプリントケーブル;
前記透明電極と連結されるように前記接続部の一面に形成された接続端子;及び
前記接続端子から延長されて前記延長部に集結されるように前記フレキシブルプリントケーブルに形成された配線;
を含むことを特徴とするタッチパネル。
【請求項２】
前記アクティブ領域は四角形であり、
前記接続部は前記アクティブ領域の4個の縁に備えられた接続領域に対応するように形成されたことを特徴とする請求項１に記載のタッチパネル。
【請求項３】
前記アクティブ領域は四角形であり、
前記接続部は前記アクティブ領域の3個の縁に備えられた接続領域に対応するように形成されたことを特徴とする請求項１に記載のタッチパネル。
【請求項４】
前記アクティブ領域は四角形であり、
前記接続部は前記アクティブ領域の連続する2個の縁に備えられた接続領域に対応するように形成されたことを特徴とする請求項１に記載のタッチパネル。
【請求項５】
前記アクティブ領域は四角形であり、
前記接続部は前記アクティブ領域の1個の縁に備えられた接続領域に対応するように形成されたことを特徴とする請求項１に記載のタッチパネル。
【請求項６】
前記延長部は1個または2個であることを特徴とする請求項１に記載のタッチパネル。
【請求項７】
前記接続端子は前記透明電極と異方性導電接着剤または異方性導電フィルムで連結されたことを特徴とする請求項１に記載のタッチパネル。
【請求項８】
前記透明電極は導電性高分子で形成されたことを特徴とする請求項１に記載のタッチパネル。
【請求項９】
アクティブ領域と前記アクティブ領域の縁に備えられた接続領域を含む第1透明基板及び第2透明基板;
前記第1透明基板のアクティブ領域に形成された第1透明電極;
前記第2透明基板のアクティブ領域に形成された第2透明電極;
前記接続領域に対応するように形成されて前記第1透明基板の接続領域に一面が接着されて前記第2透明基板の接続領域に他面が接着された接続部と、前記接続部から延長されて前記第1透明基板及び前記第2透明基板の外側に突出された延長部を含むフレキシブルプリントケーブル;
前記第1透明電極と連結されるように前記接続部の一面に形成された第1接続端子;
前記第2透明電極と連結されるように前記接続部の他面に形成された第2接続端子;
前記第1接続端子から延長されて前記延長部に集結されるように前記フレキシブルプリントケーブルに形成された第1配線;及び
前記第2接続端子から延長されて前記延長部に集結されるように前記フレキシブルプリントケーブルに形成された第2配線;
を含むことを特徴とするタッチパネル。
【請求項１０】
前記アクティブ領域は四角形であり、
前記接続部は前記アクティブ領域の4個の縁に備えられた接続領域に対応するように形成されたことを特徴とする請求項９に記載のタッチパネル。
【請求項１１】
前記アクティブ領域は四角形であり、
前記接続部は前記アクティブ領域の3個の縁に備えられた接続領域に対応するように形成されたことを特徴とする請求項９に記載のタッチパネル。
【請求項１２】
前記アクティブ領域は四角形であり、
前記接続部は前記アクティブ領域の連続する2個の縁に備えられた接続領域に対応するように形成されたことを特徴とする請求項９に記載のタッチパネル。
【請求項１３】
前記アクティブ領域は四角形であり、
前記接続部は前記アクティブ領域の1個の縁に備えられた接続領域に対応するように形成されたことを特徴とする請求項９に記載のタッチパネル。
【請求項１４】
前記延長部は1個または2個であることを特徴とする請求項９に記載のタッチパネル。
【請求項１５】
前記第1接続端子は前記第1透明電極と異方性導電接着剤または異方性導電フィルムで連結されて、
前記第2接続端子は前記第2透明電極と異方性導電接着剤または異方性導電フィルムで連結されたことを特徴とする請求項９に記載のタッチパネル。
【請求項１６】
前記第1透明電極または前記第2透明電極は導電性高分子で形成されたことを特徴とする請求項９に記載のタッチパネル。
【発明の詳細な説明】
【技術分野】
【０００１】
本発明はタッチパネルに関する。
【背景技術】
【０００２】
デジタル技術を用いるコンピューターが発達するにつれてコンピューターの補助装置もともに開発されていて、パソコン、ポータブル伝送装置、その外の個人専用の情報処理装置などはキーボード、マウスのような様々な入力装置(Input Device)を用いてテキスト及びグラフィックの処理を遂行する。
【０００３】
しかしながら、情報化社会の急速な進行に伴い、コンピューターの用途がますます拡大される趨勢にあるなかで、現在入力装置の役割を担当するキーボード及びマウスだけでは效率的な製品の駆動が難しいという問題点がある。従って、簡単で呉操作が少ないだけではなく、誰でも簡単に情報入力が可能な器機の必要性が高まっている。
また、入力装置に関する技術は一般的な機能を満たす水準を越えて、高信頼性、耐久性、革新性、設計及び加工関連技術などへと関心が移り変わってきていて、このような目的を果たすためにテキスト、グラフィックなどの情報入力が可能な入力装置としてタッチパネル(Touch panelscreen)が開発された。
【０００４】
タッチパネルは電子手帳、液晶表示装置(LCD; Liquid Crystal Display Device)、PDP(Plasma Display Panel)、El(Electroluminescence)などのフラットパネルディスプレイ装置及びCRT(Cathod Ray Tube)のような画像表示装置の表示面に取付けられ、使用者が画像表示装置を見ながら求める情報を選択できるようにするために用いられる道具である。
タッチパネルの種類は、抵抗膜方式(Resistive Type)、静電容量方式(Capacitive Type)、電磁方式(Electro-Magnetic Type)、表面弾性波方式(SAW Type; Surface Acoustic Wave Type)及び赤外線方式(Infrared Type)に区分される。このような様々な方式のタッチパネルは信号増幅の問題、解像度の差異、設計及び加工技術の難易度、光学的特性、電気的特性、機械的特性、耐環境特性、入力特性、耐久性及び経済性を考慮して電子製品に採用されていて、現在一番幅広い分野で用いる方式は、抵抗膜方式タッチパネルと静電容量方式タッチパネルである。
ところが、従来技術によるタッチパネルは、透明基板に形成された配線とフレキシブルプリントケーブル(FPC)を連結するにおいて不良が発生する問題点がある。図1は従来技術によるタッチパネルの斜視図で、これを参照して従来技術の問題点を説明する。
【０００５】
図1に示すように、従来技術によるタッチパネル10は透明基板20、透明基板20に形成された透明電極30、透明電極30から延長されて透明基板20の一端に集結された配線40及びフレキシブルプリントケーブル60を介して配線40と連結されたコントローラー50を含む構成である。
ここで、配線40は透明電極30で発生した信号をフレキシブルプリントケーブル60に伝達する役割を遂行する。しかし、透明基板20に形成された配線40の成分は電気伝導率が低い問題点があり、透明基板20には微細配線を形成することができないので配線40の間隔が広くなり最終的にはタッチパネル10のベゼル(bezel)の幅が広くなる問題点がある。
【０００６】
また、フレキシブルプリントケーブル60は配線40から伝達された信号をコントローラー50に伝達する役割を遂行する。この際、フレキシブルプリントケーブル60の信号伝逹の信頼性を確保するためにフレキシブルプリントケーブル60と配線40を確実に接続させなければならない。しかし、接続部分Aの面積が広くなくて構造的に脆弱であるから、所定強度以上の力が加えられるとフレキシブルプリントケーブル60と配線40が分離される問題点がある。さらに、フレキシブルプリントケーブル60と配線40の接続部分Aは接続抵抗が非常に高い問題点も存在する。
【発明の開示】
【発明が解決しようとする課題】
【０００７】
本発明は、上述した問題点を解決するために導き出されたものであり、接続端子と配線が形成されたフレキシブルプリントケーブルを採用し、透明電極に直接連結させることにより配線の電気伝導率を高めることができ、配線を微細に形成することができるタッチパネルを提供することを目的とする。
【課題を解決するための手段】
【０００８】
本発明の好ましい第1実施形態によるタッチパネルは、アクティブ領域と前記アクティブ領域の縁に備えられた接続領域を含む透明基板、前記アクティブ領域に形成された透明電極、前記接続領域に対応するように形成して前記接続領域に一面が接着された接続部と前記接続部から延長されて前記透明基板の外側に突出された延長部を含むフレキシブルプリントケーブル、前記透明電極と連結されるように前記接続部の一面に形成された接続端子及び前記接続端子から延長されて前記延長部に集結されるように前記フレキシブルプリントケーブルに形成された配線を含んで構成される。
【０００９】
ここで、前記アクティブ領域は四角形であり、前記接続部は前記アクティブ領域の4個の縁に備えられた接続領域に対応するように形成されたことを特徴とする。
また、前記アクティブ領域は四角形であり、前記接続部は前記アクティブ領域の3個の縁に備えられた接続領域に対応するように形成されたことを特徴とする。
また、前記アクティブ領域は四角形であり、前記接続部は前記アクティブ領域の連続する2個の縁に備えられた接続領域に対応するように形成されたことを特徴とする。
また、前記アクティブ領域は四角形であり、前記接続部は前記アクティブ領域の1個の縁に備えられた接続領域に対応するように形成されたことを特徴とする。
また、前記延長部は1個または2個であることを特徴とする。
また、前記接続端子は前記透明電極と異方性導電接着剤または異方性導電フィルムで連結されたことを特徴とする。
また、前記透明電極は導電性高分子で形成されたことを特徴とする。
【００１０】
本発明の好ましい第2実施形態によるタッチパネルは、アクティブ領域と前記アクティブ領域の縁に備えられた接続領域を含む第1透明基板及び第2透明基板、前記第1透明基板のアクティブ領域に形成された第1透明電極、前記第2透明基板のアクティブ領域に形成された第2透明電極、前記接続領域に対応するように形成されて前記第1透明基板の接続領域に一面が接着されて前記第2透明基板の接続領域に他面が接着された接続部と、前記接続部から延長されて前記第1透明基板及び前記第2透明基板の外側に突出された延長部を含むフレキシブルプリントケーブル、前記第1透明電極と連結されるように前記接続部の一面に形成された第1接続端子、前記第2透明電極と連結されるように前記接続部の他面に形成された第2接続端子、前記第1接続端子から延長されて前記延長部に集結されるように前記フレキシブルプリントケーブルに形成された第1配線及び前記第2接続端子から延長されて前記延長部に集結されるように前記フレキシブルプリントケーブルに形成された第2配線を含んで構成される。
【００１１】
ここで、前記アクティブ領域は四角形であり、前記接続部は前記アクティブ領域の4個の縁に備えられた接続領域に対応するように形成されたことを特徴とする。
また、前記アクティブ領域は四角形であり、前記接続部は前記アクティブ領域の3個の縁に備えられた接続領域に対応するように形成されたことを特徴とする。
また、前記アクティブ領域は四角形であり、前記接続部は前記アクティブ領域の連続する2個の縁に備えられた接続領域に対応するように形成されたことを特徴とする。
また、前記アクティブ領域は四角形であり、前記接続部は前記アクティブ領域の1個の縁に備えられた接続領域に対応するように形成されたことを特徴とする。
また、前記延長部は1個または2個であることを特徴とする。
また、前記第1接続端子は前記第1透明電極と異方性導電接着剤または異方性導電フィルムで連結され、前記第2接続端子は前記第2透明電極と異方性導電接着剤または異方性導電フィルムで連結されたことを特徴とする。
また、前記第1透明電極または前記第2透明電極は導電性高分子で形成されたことを特徴とする。
【００１２】
本発明の特徴及び利点は添付図面に基づいた以下の詳細な説明からより明らかになるであろう。
本発明の詳細な説明に先立ち、本明細書及び請求範囲に用いられた用語や単語は通常的かつ辞書的な意味に解釈されてはいけなく、発明者がその自分の発明を最善の方法で説明するために用語の概念を適切に定義することができるという原則にしたがって本発明の技術的思想にかなう意味と概念に解釈されなければならない。
【発明の効果】
【００１３】
本発明によれば、フレキシブルプリントケーブルに配線を形成することにより、従来技術と異なりフレキシブルプリントケーブルと配線の連結工程を省略することができて製造工程を単純化することができる長所がある。
また、本発明によれば、フレキシブルプリントケーブルに接続部を採用して直接に透明電極に連結することにより、従来技術に比べてフレキシブルプリントケーブルと透明基板の間の接触面積が広くなる。従って、所定強度以上の力が加えられてもフレキシブルプリントケーブルが分離されることを防止することができる效果がある。
また、本発明によれば、従来技術と異なり、配線を透明基板ではなくフレキシブルプリントケーブルに形成するので金属で形成することができる。従って、配線の電気伝導率を高めることができるだけではなく、微細配線を形成することができる效果がある。
【図面の簡単な説明】
【００１４】
【図１】従来技術によるタッチパネルの斜視図である。
【図２】本発明の好ましい第1実施形態によるタッチパネルの分解斜視図である。
【図３】本発明の好ましい第1実施形態によるタッチパネルの斜視図である。
【図４】図2に示すフレキシブルプリントケーブルの平面図である。
【図５】図2に示すフレキシブルプリントケーブルの平面図である。
【図６】図2に示すフレキシブルプリントケーブルの平面図である。
【図７】図2に示すフレキシブルプリントケーブルの平面図である。
【図８】図2に示すフレキシブルプリントケーブルの平面図である。
【図９】本発明の好ましい第2実施形態によるタッチパネルの分解斜視図である。
【図１０】本発明の好ましい第2実施形態によるタッチパネルの斜視図である。
【図１１Ａ】図9に示すフレキシブルプリントケーブルの平面図である。
【図１１Ｂ】図9に示すフレキシブルプリントケーブルの底面図である。
【発明を実施するための形態】
【００１５】
本発明の目的、特定の長所及び新規の特徴は添付図面と以下の詳細な説明および好ましい実施形態によってさらに明らかになるであろう。本明細書において、各図面の構成要素に参照番号を付け加えるに際し、同じ構成要素に限っては、たとえ異なる図面に示されても、できるだけ同一の番号を付けるようにしていることに留意しなければならない。また、「第１」、「第２」のような用語は一つの構成要素を他の構成要素から区別するために用いられるに過ぎず、構成要素がそれらの用語により限定されるものではない。また、本発明の説明において、係わる公知技術に対する具体的な説明が本発明の要旨を不必要にぼかす可能性があると判断される場合は、その詳細な説明を省略する。
【００１６】
以下、添付図面を参照して本発明の好ましい実施形態を詳細に説明する。
【００１７】
図2は本発明の好ましい第1実施形態によるタッチパネルの分解斜視図であり、図3は本発明の好ましい第1実施形態によるタッチパネルの斜視図である。
図2乃至図3に示すように、本実施形態によるタッチパネル100は、アクティブ領域120とアクティブ領域120の縁に備えられた接続領域130を含む透明基板110、アクティブ領域120に形成された透明電極140、接続領域130に対応するように形成して接続領域130に一面が接着された接続部160と接続部160から延長されて透明基板110の外側に突出された延長部170を含むフレキシブルプリントケーブル150、透明電極140と連結されるように接続部160の一面に形成された接続端子180及び接続端子180から延長されて延長部170に集結されるようにフレキシブルプリントケーブル150に形成された配線190を含む構成である。
【００１８】
前記透明基板110は、アクティブ領域120と接続領域130を含んで、アクティブ領域120は使用者のタッチを認識できるように透明電極140が設けられる部分で、透明基板110の中心に形成されて、接続領域130は透明電極140と連結するフレキシブルプリントケーブル150が接着される部分で、アクティブ領域120の縁に備えられる。透明基板110の材質は特別に限定されるものではないが、ポリエチレンテレフタレート(PET)、ポリカーボネート(PC)、ポリメチルメタクリレート(PMMA)、ポリエチレンナフタレート(PEN)、ポリエーテルサルフォン(PES)、環状オレフィンコポリマー(COC)、TAC(Triacetylcellulose)フィルム、ポリビニルアルコール(Polyvinyl alcohol; PVA)フィルム、ポリイミド(Polyimide; PI)フィルム、ポリスチレン(Polystyrene; PS)、二軸延伸ポリスチレン(Kレジン含有 biaxially oriented PS; BOPS)、ガラスまたは強化ガラスなどで形成されることができる。
【００１９】
前記透明電極140は、使用者がタッチする時信号を発生させてコントローラー(controller; 図示せず)でタッチ座標を認識できるようにするものであり、透明基板110のアクティブ領域120に形成される。ここで、透明電極140は通常的に用いるITO(Indum Thin Oxide)だけではなく、柔軟性がすぐれてコーティング工程が単純な導電性高分子を用いて形成することができる。この際、導電性高分子はポリ-3,4-エチレンジオキシチオフェン/ポリスチレンスルホンネート(PEDOT/PSS)、ポリアニリン、ポリアセンチレンまたはポリフェニレンビニレンなどを含む。一方、図面では透明電極140は棒状であるがこれに限定されるものではなく、三角形、六角形など当業界に公知のすべてのパターンを用いることができる。
【００２０】
前記フレキシブルプリントケーブル150は、透明基板110の接続領域130に対応する形状に形成されて接続領域130に接着される接続部160と、接続部160から延長されて透明基板110の外側に突出された延長部170で構成される。ここで、接続部160の一面には接続端子180が形成されているので接続部160の一面が接続領域130に接着されると接続端子180が透明電極140に連結される。また、フレキシブルプリントケーブル150には接続端子180から延長されて延長部170に集結された配線190が備えられているので透明電極140で発生した信号は接続端子180を介して配線190に伝達される。
本実施形態によるフレキシブルプリントケーブル150は、従来技術によるフレキシブルプリントケーブルに対応する延長部170が備えられるだけではなく、透明基板110の接続領域130に接着される接続部160が備えられる。従って、フレキシブルプリントケーブル150と透明基板110の接触面積が広くなるので、フレキシブルプリントケーブル150の構造的安全性を確保することができる。
【００２１】
一方、図4乃至図8は図2に示すフレキシブルプリントケーブルの平面図である。
図4乃至図7に示すように、フレキシブルプリントケーブル150の接続部160の形状は多様に変更されることができる。
例えば、アクティブ領域120が四角形である場合、接続部160をアクティブ領域120の4個の縁に備えられた接続領域130に対応するように「口」の形状に形成することができる(図4参照)。この場合、接続部160の左右への広がりや狭まりを防止することができるので接続端子180を透明電極140に正確に整合させることができる長所がある。
【００２２】
または、アクティブ領域120の3個の縁に備えられた接続領域130に対応するように接続部160を「略コ」の形状に形成したり(図5参照)、アクティブ領域の連続する2個の縁に備えられた接続領域130に対応するように接続部160を「略Ｌ」の形状に形成したり(図6参照)、アクティブ領域の1個の縁に備えられた接続領域130に対応するように接続部160を「―」の形状に形成することができる(図7参照)。この場合、接続部160の面積が相対的に狭くなるので、同じ大きさのタッチパネル100でアクティブ領域120の広さを最大限に広げることができる長所がある。但し、上述の接続部160の形状は例示に過ぎず、必ずこれに限定されるものではなく、アクティブ領域120の形状や透明電極140のパターンなどによって変更されることができるということはいうまでもない。
【００２３】
また、フレキシブルプリントケーブル150の延長部170は透明基板110の外側に突出されて、延長部170には配線190が集結されるので、最終的に延長部170をコントローラーに連結すると透明電極140で発生した信号は接続端子180→配線190→コントローラーの順番に伝達される(図3参照)。一方、延長部170は通常的に1個が備えられることができるが(図3乃至図7参照)、図8に示すように、2個が備えられることができて、必要によっては3個以上が備えられることができる。
【００２４】
前記接続端子180は上述のように、接続部160の一面に形成されて透明電極140と連結される(図3参照)。ここで、接続端子180は異方性導電接着剤(ACA; Anisotropic Conductive Adhesive)または異方性導電フィルム(ACF; Anisotropic Conductive Film)を用いて透明電極140に連結することが好ましい。異方性導電接着剤と異方性導電フィルムは微細な導電ボールを含んでいるので、透明電極140と接続端子180の間の接触抵抗を減らすことができる效果がある。
前記配線190は従来技術と異なり、透明基板110ではなくフレキシブルプリントケーブル150に形成される。従って、配線190は金属で形成することができるので、配線190の電気伝導率を高めることができる。そのうえ、配線190を微細に形成することができるので、フレキシブルプリントケーブル150の接続部160の厚さを最小化し、アクティブ領域120の広さを拡張することができる長所がある。
【００２５】
本実施形態によるタッチパネル100は、透明電極140が短層の構造であるので、自体静電容量方式(self capacitive type)タッチパネルで用いることができる。そのうえ、本実施形態によるタッチパネル100を2個備えて、透明電極140が向かい合うように両面接着剤で接着させることにより、2層構造の相互静電容量方式(mutual capacitive type)タッチパネルまたは抵抗膜方式タッチパネルで用いることができる。
【００２６】
図9は本発明の好ましい第2実施形態によるタッチパネルの分解斜視図であり、図10は本発明の好ましい第2実施形態によるタッチパネルの斜視図であり、図11Bは図9に示すフレキシブルプリントケーブルの平面図であり、図11Bは図9に示すフレキシブルプリントケーブルの底面図である。
図9乃至図11に示すように、本実施形態によるタッチパネル200と上述の第1実施形態によるタッチパネル100との一番大きい差異点は、フレキシブルプリントケーブルの構造と透明基板の個数である。すなわち、第1実施形態によるタッチパネル100は、フレキシブルプリントケーブル150の一面に接続端子180と配線190が形成されて一つの透明基板110が備えられる反面、本実施形態によるタッチパネル200は、フレキシブルプリントケーブル150の両面に接続端子230、240と配線250、260が形成されて二つの透明基板(第1透明基板210、第2透明基板220)が備えられる。従って、本実施形態ではフレキシブルプリントケーブル150と透明基板210、220を中心に説明し、第1実施形態と重複される内容は省略することにする。
【００２７】
第1透明基板210と第2透明基板220はそれぞれアクティブ領域120と接続領域130で構成される。この際、第1透明基板210の接続領域130にはフレキシブルプリントケーブル150の接続部160の一面が接着されて、第2透明基板220の接続領域130にはフレキシブルプリントケーブル150の接続部160の他面が接着される。また、第1透明基板210のアクティブ領域120には第1透明電極270が形成されて、第2透明基板220のアクティブ領域120には第2透明電極280が形成される。
【００２８】
フレキシブルプリントケーブル150は接続部160と延長部170で構成されて、接続部160の一面には第1接続端子230(図11A参照)が形成され、接続部160の他面には第2接続端子240(図11B参照)が形成される。従って、接続部160の一面が第1透明基板210の接続領域130に接着されると第1接続端子230が第1透明電極270と連結されて、接続部160の他面が第2透明基板220の接続領域130に接着されると第2接続端子240が第2透明電極280と連結される(図10参照)。また、フレキシブルプリントケーブル150には第1接続端子230から延長されて延長部170に集結された第1配線250と、第2接続端子240から延長されて延長部170に集結された第2配線260が備えられているので、透明電極270、280で発生した信号は接続端子230、240を介して配線250、260に伝達される。最終的に、延長部170は透明基板210、220の外側に突出されてコントローラーに連結されるので、第1透明電極270で発生した信号は第1接続端子230→第1配線250→コントローラーの順番で伝達され、第2透明電極280で発生した信号は第2接続端子240→第2配線260→コントローラーの順番で伝達される。
【００２９】
本実施形態によるタッチパネル200はフレキシブルプリントケーブル150を中心に第1透明電極270と第2透明電極280が2層構造に形成されているので、抵抗膜方式タッチパネルで用いることができる。また、第1透明電極270と第2透明電極280の間に絶縁層を配置して相互静電容量方式(mutual capacitive type)タッチパネルで用いることができる。
【００３０】
以上、本発明を具体的な実施形態に基づいて詳細に説明したが、これは本発明を具体的に説明するためのものであり、本発明によるタッチパネルはこれに限定されなく、該当分野における通常の知識を有する者であれば、本発明の技術的思想内にての変形や改良が可能であることはいうまでもない。
このような本発明の単純な変形乃至変更はいずれも本発明の領域に属するものであり、本発明の具体的な保護範囲は添付の特許請求の範囲により明確になるであろう。
【符号の説明】
【００３１】
100、200    タッチパネル
110    透明基板
120    アクティブ領域
130    接続領域
140    透明電極
150    フレキシブルプリントケーブル
160    接続部
170    延長部
180    接続端子
190    配線
210    第1透明基板
220    第2透明基板
230    第1接続端子
240    第2接続端子
250    第1配線
260    第2配線
270    第1透明電極
280    第2透明電極
【図１】
2011210224.tif 000003
【図２】
2011210224.tif 000004
【図３】
2011210224.tif 000005
【図４】
2011210224.tif 000006
【図５】
2011210224.tif 000007
【図６】
2011210224.tif 000008
【図７】
2011210224.tif 000009
【図８】
2011210224.tif 000010
【図９】
2011210224.tif 000011
【図１０】
2011210224.tif 000012
【図１１Ａ】
2011210224.tif 000013
【図１１Ｂ】
2011210224.tif 000014